(57)【要約】【課題】簡素な構成に基づいて、たとえば離型シートにおける離型剤の塗布欠陥の検出を安価に且つ確実に行うことのできる表面検出装置。【解決手段】所定の方向に搬送される被検査物体（１１）に当接するように位置決めされた回転ローラー（１）と、回転ローラーの回転速度またはトルクを検出するための検出部（２）とを備えている。検出部の出力に基づいて被検査物体における表面抵抗の変化およびその位置関係を検出する。被検査物体は、たとえば離型剤の塗布された離型シートであり、回転ローラーの回転速度またはトルクの検出結果に基づいて、離型シートにおける離型剤の塗布欠陥を検出する。【選択図】　図１
2004093249.tif 000002
【特許請求の範囲】
【請求項１】
所定の方向に搬送される被検査物体に当接するように位置決めされた回転ローラーと、前記回転ローラーの回転速度またはトルクを検出するための検出部とを備え、
前記検出部の出力に基づいて前記被検査物体における表面抵抗の変化およびその位置関係を検出することを特徴とする表面検出装置。
【請求項２】
所定の方向に搬送される被検査物体に回転ローラーを当接させ、前記回転ローラーの回転速度またはトルクの検出結果に基づいて、前記被検査物体における表面抵抗の変化およびその位置関係を検出することを特徴とする表面検出方法。
【請求項３】
前記被検査物体は、離型剤の塗布された離型シートであり、前記回転ローラーの回転速度またはトルクの検出結果に基づいて、前記離型シートにおける離型剤の塗布欠陥を検出することを特徴とする請求項２に記載の表面検出方法。
【発明の詳細な説明】
【０００１】
【発明の属する技術分野】
本発明は、表面検出装置および方法に関し、特に離型シートにおける離型剤の塗布欠陥の検出に関するものである。
【０００２】
【従来の技術】
タック紙は、シリコンのような離型剤（剥離剤）が塗布された離型シート（剥離紙）と、接着剤が塗布された上紙とで構成されている。例えば、ラベルシートは、連続用紙の形態を有するタック紙の上紙に対して、各ラベル領域を規定するためのダイカット加工（型抜き加工）などを施すことにより製造される。
【０００３】
この場合、離型シートにおいて離型剤の塗布欠陥が点在すると、ラベルを剥がしたときに紙むけが発生する可能性がある。従来技術では、離型剤の塗布欠陥の検査を全く行わないか、あるいはＸ線や赤外線などを利用した測定器を用いてスポット的に（抜き打ち的に）離型剤の塗布欠陥を検査している。
【０００４】
【発明が解決しようとする課題】
しかしながら、Ｘ線や赤外線などを利用した測定器は高価であり且つスポット的な検査にしか適していない。このため、従来技術では、離型シートにおける離型剤の塗布欠陥の検出を安価に且つ確実に（高精度に）行うことができないという不都合があった。
【０００５】
本発明は、前述の課題に鑑みてなされたものであり、簡素な構成に基づいて、たとえば離型シートにおける離型剤の塗布欠陥の検出を安価に且つ確実に行うことのできる表面検出装置および方法を提供することを目的とする。
【０００６】
【課題を解決するための手段】
前記課題を解決するために、本発明では、所定の方向に搬送される被検査物体に当接するように位置決めされた回転ローラーと、前記回転ローラーの回転速度またはトルクを検出するための検出部とを備え、
前記検出部の出力に基づいて前記被検査物体における表面抵抗の変化およびその位置関係を検出することを特徴とする表面検出装置を提供する。
【０００７】
また、本発明の別の局面によれば、所定の方向に搬送される被検査物体に回転ローラーを当接させ、前記回転ローラーの回転速度またはトルクの検出結果に基づいて、前記被検査物体における表面抵抗の変化およびその位置関係を検出することを特徴とする表面検出方法を提供する。
【０００８】
本発明の好ましい態様によれば、前記被検査物体を、離型剤の塗布された離型シートとすれば、前記回転ローラーの回転速度の変化、あるいはトルクの変化により、離型剤の塗布ムラや塗布欠損などの離型シートの塗布欠陥を好適に検出することができる。
【０００９】
【発明の実施の形態】
本発明の実施形態を、添付図面に基づいて説明する。
図１は、本発明の実施形態にかかる表面検出装置の構成を概略的に示す図である。また、図２は、本実施形態の被検査物体である離型シートを用いて形成されたタック紙の構成を概略的に示す断面図である。本実施形態では、タック紙の一部を構成する離型シートにおける離型剤の塗布欠陥の検出に対して本発明を適用している。
【００１０】
まず、図２を参照すると、タック紙１０が、シリコンのような離型剤１１ａの塗布された離型シート１１と接着剤１２ａの塗布された上紙１２とにより、連続用紙の形態に形成されている。本実施形態では、図２に示すタック紙１０の一部を構成する離型シート１１における離型剤１１ａの塗布欠陥を検出する。
【００１１】
図１（ａ）を参照すると、本実施形態の表面検出装置は、図中矢印で示す方向に沿って連続的に搬送される被検査物体としての離型シート１１の表面（離型剤１１ａが塗布されている側の面）に当接するように位置決めされた回転ローラー１を備えている。また、本実施形態の表面検出装置は、回転ローラー１の回転速度を検出するための回転検出器２と、この回転検出器２の出力が接続された制御部３とを備えている。
【００１２】
ところで、図１（ｂ）に示すように離型シート１１において離型剤１１ａの塗布されていない欠陥領域１１ｂが存在する場合、回転ローラー１の表面と離型剤１１ａの表面との間の摩擦係数よりも、回転ローラー１の表面と欠陥領域１１ｂの表面との間の摩擦係数の方がはるかに大きい。すなわち、被検査物体としての離型シート１１では、離型剤の塗布ムラや塗布欠損があれば、表面抵抗（摩擦係数）が変化する。なお、本実施形態では、分かり易いように、離型剤の塗布部と塗布欠損部の２つの表面（１１ａ，１１ｂ）を示している。
【００１３】
本実施形態では、回転ローラー１の表面と離型剤１１ａの表面との間の摩擦係数が非常に小さいため、離型剤１１ａの塗布された領域において回転ローラー１は回転しないか、あるいは低い回転速度で回転する。一方、塗布欠損部では、回転ローラー１の表面と欠陥領域１１ｂの表面との間の摩擦係数の方がはるかに大きいため、停止状態の回転ローラーが回転するか、あるいは回転速度が上がる。こうして、制御部３では、回転検出器２の出力に基づいて、離型シート１１における離型剤１１ａの塗布欠陥を検出することができる。
【００１４】
具体的には、制御部３は、回転検出器２が回転ローラー１の回転をあるタイミングで検出したときに、そのタイミングに対応する離型シート１１の位置において欠陥領域１１ｂが存在することを検出する。こうして、本実施形態では、簡素な構成に基づいて、離型シート１１における離型剤１１ａの塗布欠陥の検出を安価に且つ確実に行うことができる。
【００１５】
なお、上述の実施形態では、回転ローラー１の回転の有無にしたがって離型シート１１における離型剤１１ａの塗布欠陥を検出している。しかしながら、これに限定されることなく、たとえば回転ローラー１の回転速度の変化やトルクの変化に基づいて塗布欠陥を検出するような様々な変形例が可能である。
【００１６】
具体的には、回転ローラー１の表面と離型剤１１ａの表面との間でスリップ回転するように設定し、回転ローラー１の回転速度の変化に基づいて塗布欠陥を検出することができる。この場合、回転検出器２の出力に基づいて回転ローラー１の回転速度（単位時間当たりの回転速度）が基準値よりも大きな値に変化したことを検出することにより、塗布欠陥を検出することができる。
【００１７】
あるいは、回転ローラー１に作用するトルクの変化に基づいて塗布欠陥を検出することができる。この場合、たとえば回転ローラー１に内蔵された周知の構成を有するトルク検出器（不図示）を用いて検出したトルクが基準値よりも大きな値に変化したことを検出することにより、塗布欠陥を検出することができる。
【００１８】
また、上述の実施形態では、離型シート１１における離型剤１１ａの塗布欠陥の検出に対して本発明を適用している。しかしながら、これに限定されることなく、一般的に表面抵抗の異なる第１表面と第２表面とを有する被検査物体における第１表面と第２表面との位置関係の検出に対して本発明を適用することもできる。
【００１９】
具体的には、たとえばフィルム上に間隔を隔てて多数のＩＣインレットが貼付または形成されたＩＣインレットシートでは、フィルムの表面とＩＣインレットの表面との間で表面抵抗が実質的に異なる。したがって、ＩＣインレットシートにおけるＩＣインレットの貼付欠陥または形成欠陥（形成位置のずれ、形成不良など）の検出に本発明を適用することができる。
【００２０】
また、たとえば基板の上に導電性インクで回路パターンが形成されている場合にも、基板の表面と回路パターンの表面との間で表面抵抗が実質的に異なる。したがって、導電性インクで回路パターンが形成された基板における回路パターンの形成欠陥の検出に本発明を適用することができる。
【００２１】
【発明の効果】
以上説明したように、本発明の表面検出装置および方法では、簡素な構成に基づいて、たとえば離型シートにおける離型剤の塗布欠陥の検出を安価に且つ確実に行うことができる。
【図面の簡単な説明】
【図１】本発明の実施形態にかかる表面検出装置の構成を概略的に示す図である。
【図２】本実施形態の被検査物体である離型シートを用いて形成されたタック紙の構成を概略的に示す断面図である。
【符号の説明】
１　回転ローラー
２　回転検出器
３　制御部
１０　タック紙
１１　離型シート
１１ａ　離型剤（シリコン）
１１ｂ　欠陥領域
１２　上紙
１２ａ　接着剤
【図１】
2004093249.tif 000003
【図２】
2004093249.tif 000004